(57)【要約】本発明は、平行六面体形状のブリック・タイプのパッケージ用のスリーブ又は支持具に関する。スリーブ又は支持具１０は、少なくとも１つの側壁３０と１つの上壁３４とを含めて少なくとも３つの連続する壁を有する。上壁３４は、パッケージの上面に沿って配置されるように構成された開口３８を有する。スリーブ又は支持具１０は、壁の１つから延びる固定要素４８を含む。パッケージ中に挿入されるように構成されたディスペンサ１２が、上壁の開口３８を通って延びる。
2006502919.tif 000002
【特許請求の範囲】
【請求項１】
所定の長さをもつ上面パネルと、前記上面パネルの長さに等しい長さをもつ底面パネルと、所定の高さをもつ２対の対向する側面パネルとを備えた平行六面体の形状をなし、各パネルが隣接するパネルの各々と連続しているパッケージのための分注用支持具において、
少なくとも１つの側壁と上壁とを含む少なくとも３つの連続する壁をもつスリーブであって、前記少なくとも１つの側壁が前記パッケージの側面パネルの１つの長さに沿って延びるように構成され、前記上壁が前記パッケージの上面に沿って配置されるように構成された開口をもち、また、前記壁の１つからその自由端で延び、前記パッケージのパネルの１つと係合して前記スリーブ内部に前記パッケージを固定するように構成された固定要素を備えているスリーブと、
前記上壁の開口を通って延び前記パッケージ中に挿入されるように構成されたディスペンサであって、前記パッケージが前記スリーブに取り付けられてその内部に保持され、前記パッケージから製品を分注するように動作するディスペンサとを含む分注用支持具。
【請求項２】
前記３つの連続する壁が底壁と側壁と上壁とを含む請求項１に記載の分注用支持具。
【請求項３】
前記上壁が前記パッケージの上面パネルの長さに沿って完全に延びる請求項１に記載の分注用支持具。
【請求項４】
前記上壁が前記底壁の長さより短い長さにわたって延びる請求項２に記載の分注用支持具。
【請求項５】
前記上壁の開口のまわりに延びる上向きに突出した注ぎ口を含む請求項１に記載の分注用支持具。
【請求項６】
前記注ぎ口がその上に形成されたねじ山を含む請求項５に記載の分注用支持具。
【請求項７】
前記少なくとも１つの側壁が開口部を含む請求項１に記載の分注用支持具。
【請求項８】
前記開口部が、格子状の構成に形成された請求項７に記載の分注用支持具。
【請求項９】
前記上壁と前記側壁との間に延びるフランジを含み、そのフランジが前記上壁と側壁をほぼ横切って延びていて、前記スリーブ内の前記パッケージの前記側部パネルへの視覚的アクセスを提供するように構成された請求項２に記載の分注用支持具。
【請求項１０】
前記開口が前記上壁に形成され、関連するパッケージからの注ぎ口を受けるように構成された請求項１に記載の分注用支持具。
【請求項１１】
前記固定要素が前記底壁に形成された請求項２に記載の分注用支持具。
【請求項１２】
前記固定要素が前記底壁の一端に形成された請求項１１に記載の分注用支持具。
【請求項１３】
前記底壁に形成された横方向停止要素を含む請求項２に記載の分注用支持具。
【請求項１４】
前記スリーブを同様の隣接するスリーブに固定する掛止要素を含む請求項１に記載の分注用支持具。
【請求項１５】
前記ディスペンサが、ポンプ式ディスペンサである請求項１に記載の分注用支持具。
【請求項１６】
前記底壁の反対側に前記底壁と側壁との接合部から延びる支持脚を含む請求項２に記載の分注用支持具。
【請求項１７】
所定の長さをもつ上面パネルと、前記上面パネルの長さに等しい長さをもつ底面パネルと、所定の高さをもつ２対の対向する側面パネルとを備え、各パネルが隣接するパネルの各々と連続しているブリック・パッケージのための分注用支持具において、
上壁と側壁と底壁とを有するスリーブであって、前記側壁が前記パッケージの側面パネルの１つの長さに沿って延びるように構成され、前記底壁が前記底面パネルの長さに沿って延びるように構成され、前記上壁が前記上面パネルの長さの少なくとも一部に沿って延びるように構成され、前記上壁が前記パッケージの上面に沿って配置されるように構成された開口をもち、また、前記底壁から延び前記パッケージと係合して前記スリーブ内部に前記パッケージを固定するための固定要素を含んでいるスリーブと、
前記上壁の開口を通って延び前記パッケージ中に挿入されるように構成されたディスペンサであって、前記パッケージが前記スリーブに取り付けられてその内部に保持され、前記パッケージから製品を分注するように動作するディスペンサとを含む分注用支持具。
【請求項１８】
前記上壁が前記パッケージの上面パネルの長さに沿って完全に延びる請求項１７に記載の分注用支持具。
【請求項１９】
前記上壁が前記底壁の長さより短い長さにわたって延びる請求項１７に記載の分注用支持具。
【請求項２０】
前記上壁の開口のまわりに延びる上向きに突出した注ぎ口を含む請求項１７に記載の分注用支持具。
【請求項２１】
前記固定要素が前記底壁の一端に形成された請求項１７に記載の分注用支持具。
【請求項２２】
前記底壁の反対側に前記底壁と側壁との接合部から延びる支持脚を含む請求項１７に記載の分注用支持具。
【請求項２３】
所定の長さをもつ上面パネルと、前記上面パネルの長さに等しい長さをもつ底面パネルと、各々が所定の高さをもつ少なくとも２対の対向する側面パネルとを備え、各パネルが隣接するパネルの各々と連続しているパッケージと共に使用する支持用のスリーブにおいて、
少なくとも１つの側壁と上壁とを含むヒンジのない連続する少なくとも３つの壁を有し、前記少なくとも１つの側壁が前記パッケージの側面パネルの１つの長さに沿って延びるように構成され、前記上壁が前記パッケージの上面に沿って配置されるように構成された開口を有し、前記スリーブが、前記壁の１つから延び前記パッケージのパネルの１つと係合して前記スリーブ内部に前記パッケージを固定するように構成された固定要素を含み、また、前記スリーブが関連するディスペンサを受けるように構成された開口を有している前記スリーブ。
【請求項２４】
３つの連続する壁が底壁と側壁と上壁とを含む請求項２３に記載のスリーブ。
【請求項２５】
前記上壁が前記パッケージの上面パネルの長さに沿って完全に延びる請求項２４に記載のスリーブ。
【請求項２６】
前記上壁が前記底壁の長さより短い長さにわたって延びる請求項２４に記載のスリーブ。
【請求項２７】
前記上壁の開口のまわりに延びる上向きに突出した注ぎ口を含む請求項２３に記載のスリーブ。
【請求項２８】
前記上壁と前記側壁の間に延びるフランジを有し、そのフランジが前記上壁と側壁とをほぼ横切って延びていて、前記スリーブ内の前記パッケージの前記側部パネルへの視覚的アクセスを提供するように構成された請求項２４に記載のスリーブ。
【請求項２９】
前記底壁に形成された固定要素を含む請求項２３に記載のスリーブ。
【請求項３０】
前記スリーブを同様の隣接するスリーブに固定する掛止要素を含む請求項２３に記載のスリーブ。
【請求項３１】
前記底壁の反対側に前記底壁と側壁との接合部から延びる支持脚を含む請求項２４に記載のスリーブ。
【発明の詳細な説明】
【技術分野】
【０００１】
本発明は、ブリック・タイプのパッケージ用のスリーブ又は支持具、及びパッケージの内容物用のディスペンサに関するものである。さらに詳細には、本発明は、ブリック・タイプのパッケージを使用する、開いたスリーブ又は支持具及びポンプ式のディスペンサに属する。
【背景技術】
【０００２】
ブリック・タイプのパッケージは、当技術分野ではよく知られている。典型的な、広く知られ使用されているパッケーッジは、イタリアのモデナのＴｅｔｒａ  Ｂｒｉｋ  Ｐａｃｋａｇｉｎｇ  Ｓｙｓｔｅｍｓ  Ｓ．ｐ．Ａ．社から市販されているＴｅｔｒａ  Ｂｒｉｋ（商標登録）パッケージである。これらのブリック・タイプのパッケージは、４つの直立する側壁、平坦な上面及び平坦な底面を有する。平坦な上面及び底面は、所望の応用例及びパッケージの容積に適した長方形又は正方形の形状とすることができる。
【０００３】
これらのパッケージ用の多くのタイプの栓が知られている。例えば、折れやすいエッジ領域及びヒンジを有するプラスチックの栓が知られており、折れやすい部分の中央領域内部の栓部分は引き上げられ又は持ち上げられて、容器の内容物へのアクセスを提供する。多くのそのような容器では、箔、又は他の内部シールに、同様にパッケージから引っ張ることができて、製品へのアクセスを提供するタブが設けられている。
【０００４】
ブリック・タイプのパッケージの多くは、食品サービス施設で使用される。したがって、製品を分注する際に問題が生じる可能性がある。このことは、製品をパッケージから第２の分注容器に移すことが望ましくない場合に特に当てはまる。そのような製品の移動及び第２の容器は、汚染の経路及び装置の付加的な操作をもたらす点において望ましくない。
【０００５】
開いたパッケージを分注位置に単に置いておくことも望ましくない。これも衛生的に最適でなく、製品の汚染をもたらす恐れがある。１つの公知の分注装置は、立方体の頂部に取り付けられたディスペンサ又はポンプを備えた６面又は立方体の容器を含む。そのような装置は汚染の機会を減らすのに役立つことができるが、そのような容器を適切に洗浄することは難しく、製造及び使用に非常に費用がかかることが判明している。したがって、これらの容器は広く使用されていない。
【発明の開示】
【発明が解決しようとする課題】
【０００６】
したがって、ブリック・タイプのパッケージと共に使用するスリーブ及びディスペンサが求められている。そのようなスリーブは費用効率がよく（製造が安価）、使用が容易であることが望ましい。そのようなスリーブが、皿洗い器の中で洗浄されるなど、簡単に洗浄することができると非常に望ましい。そのようなスリーブ及びディスペンサが、さらに広告及びマーケティングの目的で使用できる、一個構成の組立品であると非常に望ましい。
【課題を解決するための手段】
【０００７】
分注用支持具は、関連するブリック・タイプのパッケージを使用するためのディスペンサに構造的な支持を提供する。典型的なブリック・パッケージは、所定長さをもつ上面パネルと、上面パネルの長さに等しい長さをもつ底面パネルと、所定高さをもつ２対の対向する側面パネルとを有する平行六面体の形状を有する。各パネルは隣接するパネルの各々と連続する。
【０００８】
分注用支持具は、少なくとも１つの側壁と上壁とを含む少なくとも３つの連続する壁を有するスリーブを含む。少なくとも１つの側壁は、パッケージの側面パネルの１つの長さに沿って延びるように構成される。上壁は、パッケージの上面に沿って配置されるように構成された開口を有する。
【０００９】
スリーブは、壁の１つからその自由端で延びる固定要素を含む。固定要素は、パッケージのパネルの１つと係合してパッケージをスリーブ内部に固定するように構成される。
【００１０】
ディスペンサは、上壁の開口を通って延び、パッケージ中に挿入されるように構成される。パッケージがスリーブに取り付けられてその内部に保持され、ディスペンサがパッケージから製品を分注するように動作する。
【００１１】
この実施例では、３つの連続する壁は底壁と側壁と上壁とを含む。上壁がパッケージの上面パネルの長さに沿って完全に延びるようにすることができる。別法においては、上壁は底壁の長さより短い長さ、又はパッケージの上面パネルの長さより短い長さにわたって延びる。
【００１２】
１つの構成では、上向きに突出した注ぎ口が、上壁の開口から延びる。注ぎ口がその上に形成されたねじ山を含み、したがってディスペンサとねじ込み式に係合することができる。さらに別法として、開口が上壁と同一平面にあり、上面パネルに付けられた注ぎ口を備えるパッケージが、開口を通って延びるようにすることができる。
【００１３】
側壁は、その中に形成された格子状の構成等の開口部を含むことができる。これをパッケージ上の指示又はグラフィックとともに構成することができ、したがって製品パッケージの表示等（例えばマーケティング及び広告）のために開口部を使用することが可能になる。
【００１４】
スリーブは、上壁及び側壁をほぼ横切る、上壁と側壁の間に延びるフランジを含むことができる。フランジは、スリーブ内のパッケージの側部パネルへの視覚的アクセスを提供するように構成される。これによって、使用者がパッケージの内容物を（表示によって）「見る」ことができ、この場合も、例えば、製品の広告及びマーケティングを支援するために使用することが可能になる。
【００１５】
スリーブ固定要素を底壁に形成することができる。この構成では、固定要素は底壁の一端に形成される。横方向停止要素も、スリーブ内のパッケージの横移動を防止するために底壁に形成することができる。
【００１６】
スリーブは、それを同様の隣接するスリーブに固定する掛止要素を含むことができる。このようにして、スリーブ内に複数のパッケージを互いに隣に配置することができる。
【００１７】
本発明のこれらのまた他の特徴及び利点は、添付の特許請求の範囲と共に、以下の詳細な説明から明らかになるであろう。
【００１８】
本発明の利益及び利点が、以下の詳細説明及び添付の図面を検討することで、当業者には、より容易に明らかになるであろう。
【実施例】
【００１９】
（発明の詳細な説明）
本発明は種々形態の実施例を採用することができるが、本明細書の開示は本発明の例示として考えるべきであり、本発明を図示された特定の実施例に限定するものではないとの理解のもとで、現在の好ましい実施例を図示し、以下に説明する。本明細書のこの部分の項目、すなわち「発明の詳細な説明」は米国特許庁の要件に関連するもので、本明細書に開示される主題を示唆したりそれを限定するように推測されるべきでないことを理解すべきである。
【００２０】
本明細書の開示では、「ａ」又は「ａｎ」の語は単数と複数の両方を含むと解釈すべきである。逆に、複数の要素に言及したときにも、適切な場合単数を含む。
【００２１】
さて、図、特に図１から３を参照すれば、関連するブリック・タイプのパッケージ１４と共に使用するディスペンサ１２を受けるように構成されたスリーブ１０が示されている。簡単に図１１を参照すると、ブリック・タイプのパッケージ１４は、正方形又は長方形のフットプリントをもつことができるよく知られた平行六面体のパッケージである。パッケージ１４は、第１の対及び第２の対の対向する側壁、１６、１８及び２０、２２、並びに上壁及び底壁、２４、２６を有する。パッケージ１４はパッケージ１４の内容物へのアクセスを提供するためのプル・タブ式のシール２８を備えることができる。本明細書の開示では、そうでない場合に生じ得る混乱を減らすために、パッケージの壁をパネルと称し、またスリーブの壁を壁と称する。例示的なパッケージは、本願の譲受人に譲渡され、本明細書の一部とされるＲａｕｓｉｎｇらの米国特許第３、３４７、４４４号に開示され説明されている。
【００２２】
多くの用途において、パッケージ１４は、商用の食品サービスの施設又は設備での使用を意図される食物製品を収容する。そのような環境では、過去の慣行では、製品をパッケージから第２の又は補足的な取り分け容器或いは分注用容器に移すことがある。内容物を移すことは、製品の汚染の機会を増加させ、洗浄又は殺菌を要する取り分け容器或いは分注用容器の量を増加させる。それは最終的に処理しなければならない廃棄物の量も増加させる可能性がある。
【００２３】
本発明のスリーブ１０及びディスペンサ１２は、これらの一般に知られている問題の多くを解決する。このスリーブ１０は、パッケージ１４用のほぼＣ字形状の支持具である。当業者に認識されているように、パッケージ１４は幾分剛性であるが、一般にボール紙の芯をもつラミネート製である。したがって、パッケージ１４への圧力によりパネルが圧縮され、又は押しつぶされることがある。本発明のスリーブ１０はパッケージ１４に構造的支持をもたらし、したがって、パッケージ１４のパネルを圧縮し又は押しつぶす可能性を低くする。
【００２４】
この実施例では、スリーブ１０は直立する側壁３０と底壁３２と上壁３４とを含む。スリーブ１０は、パッケージ１４がスリーブ１０の「Ｃ字形」の３６で示される内部領域の内部にうまく適合するように構成される。底壁３２及び上壁３４は、対応するパッケージのパネルの長さｌ及び幅ｗ全体にわたって延びる「完全な」壁であることができ、また、図１から４に示すように、上壁３４を、上面パネル２４の長さｌ又は幅ｗの一部にわたって延びる「部分的な」壁として形成することもできる。すなわち、上壁３４は、パッケージの上面パネル２４の長さｌより短い長さｌ３４を有する。もちろん壁側３０はパッケージの側面パネル１６の高さｈ全体にわたって延びる。
【００２５】
簡単に図８を参照すると、別のスリーブ１１０は、パーケージ１１４の対向する側面パネル１１６、１１８及び上面パネル１２４を覆い、この場合も「Ｃ字」又は逆「Ｕ字」形状に似た構成になっている。この実施例では、上壁１３４がパッケージの上面パネル１２４の長さｌ全体にわたって延び、スリーブの側壁１３０の少なくとも１つが、パッケージの側面パネル１１６の全体の高さｈにわたって延びる。これによって、組み合わされたときに、スリーブ１１０及びパッケージ１１４の構造的な一体性が増大する。
【００２６】
図１から３を再び参照すると、上壁３４はディスペンサ１２を受けるように構成された開口３８を含む。図１から３に例示的に示す開口３８は、上向きに延びる注ぎ口のような突起４０によって形成される。注ぎ口４０は、その上に形成された、ディスペンサ１２のキャップ４４をねじ込み式で受けるためのねじ山４２を含み、キャップ４４は、ディスペンサ１２のねじ山４２と相補的なねじ山を有する。ディスペンサ１２を上壁３４に固定するための他の手段は、例えば、バヨネット式（ねじ込み式）のロック部材、摩擦嵌合式のロック部材等を含む。そのようなすべての固定手段は、本発明の範囲及び趣旨内にある。
【００２７】
図７に示されるディスペンサ１２は、インディアナ州のＡｕｂｕｒｎのＲＩＥＫＥ（登録商標）社から市販されているＥＮＧＬＡＳＳ（登録商標）ＭＡＸＩ  ディスペンサ等どのようなタイプであってもよい。好ましいディスペンサ１２は、挿入するとパーケージ１４の底まで完全に延びる吸引パイプ４６を備えたポンプ作用による吸引式ディスペンサである。
【００２８】
この実施例では、スリーブ１０は、パッケージ１４がスリーブ１０内にあるときに、その上にパッケージ１４が載る完全な底壁３２を含む。底壁３２は、自由端５０（その端部５０は側壁３０から最も離れている）に上方に向いたリップ４８を含むことができる。リップ４８は、パッケージ１４をスリーブ１０の内部に固定的に維持し、スリーブ１０からのパッケージ１４の不慮の離脱を防止するためのロック部材になっている。又は、ロック部材４８を、パッケージの底面パネルと側面パネル１８、２６との接合部ではなく、底壁３２から延び、底面パネル２６に沿ってパッケージに掛止する突起又はフックのような要素（図示せず）によって提供することができる。保持タブとして構成された横方向停止要素５２は、底壁３２の付近から、スリーブの側壁３０とほぼ同一平面になるように上向きに延びように形成することができる。ロック部材４８及び停止要素５２がパッケージ１４を横方向にスリーブ１０内に固定する。
【００２９】
このＣ字形状のスリーブ１０では、上壁３４は短く、上面パネル２４の全体の長さｌより短く延びる。この構成が、なお必要な安定性を与え、パッケージ１４をスリーブ１０内に適切に固定しながら、パッケージ１４をスリーブ１０内に簡単に挿入することを可能にすることが判明した。この構成が十分な強度を与えるので、ディスペンサ１２を押し下げたとき、スリ−ブ１０及びパッケージ１４がそれらの形状を維持することも認められた。
【００３０】
図１および２から最もよくわかるように、スリーブ１０は、底壁３２、側壁３０及び上壁３４から内側に「Ｃ字形」に、ほぼ壁に直交し、パッケージの側部パネル２０、２２に平行に延びるフランジ又は支持壁５４、５６を含むことができる。開領域５８が支持壁５４、５６のエッジによって画定される。支持壁５４、５６は隅板の機能を果たし、したがって、スリーブ１０を強化して、ディスペンサ１２の上壁３４にかかる下向きの力から生じる変形にさらに対抗する。支持壁５４、５６は、スリーブ１０の両「側」に又はスリーブ１０の片「側」のみに形成することができる（例、５４と５６の両方の壁、又は５４若しくは５６の一方の壁のみを形成）。
【００３１】
図から容易に明らかなように、スリーブ１０は、開領域５８によって例示されるような開いた構成を有する。すなわち、スリーブ１０は、かなり大きな開領域５８を画定する脊椎又は骨格を形成する。このために、支持壁５４、５６によって画定される開領域５８と共に、その中に開口部６０をもつ格子として側壁３０を構成することができる。これによって、これらの開口部領域５８、６０を通して、製品のマーケティングを促進するためにパッケージ１４のラベルやグラフィックを示す領域が提供される。例えば、側壁３０の開領域６０並びに支持壁５４，５６の内部の開領域５８を通して示す、特定のグラフィック又は指示をもつパッケージ１４を印刷することができる。任意選択で、スリーブの側壁３０を、小さな開領域又は開領域なし（例、中実の表面）に構成することができ、特定のグラフィック又は指示を、成形などによって側壁３０上に形成することができる。
【００３２】
さらに別の任意に選択できる特徴として、スリーブ１０は、スリーブ１０を隣接する同様のスリーブ１０ａ、１０ｂに固定することを可能にするために形成された掛止要素をもつことができる。図４に示すように、実施例では、掛止定要素が、側壁３０、底壁３２、及び／又は上壁３４にフック６２及びチャネル６４として形成される。フック６２及びチャネル６４が、スリーブ１０、１０ａ、１０ｂを互いに（図４に示すように）並列配列で固定することを可能にする。このようにして、製品パッケージをその中に備えるスリーブ１０、１０ａ、１０ｂを、互いに隣同士で並列配列で食品サービス施設で供給して、例えば、からし、ケチャップ及びマヨネーズなどの調味料をサービス領域で互いに隣同士で保持することができる。
【００３３】
図５及び６に図示したように、さらに別の任意に選択できる特徴として、スリーブ２１０は、底壁２３２から側壁２３０の前方に延びる傾斜した脚２６４を含むことができる。この脚２６４は、スリーブ２１０の安定性を増加させ、ディスペンサ１２が、過度に強引にポンプ吸引された場合に、傾くことを防止することがわかった。
【００３４】
図８に示したスリーブ１１０の別の実施例において設けられている上壁１３４の開口１３８は、注ぎ口として形成されているのでなく、壁１３４と同一平面にある。このようにして、パッケージ１１４に取り付けられ突出した注ぎ口１４０を備えるパッケージ１１４を、注ぎ口１４０が開口１３８から上に延びるようにスリーブ１１０に挿入することができる。次に、ディスペンサ１２を注ぎ口１４０に固定し、したがって、スリーブ１１０内のパッケージ１１４をディスペンサ１２で固定することができる。スリーブ１０、１１０、２１０の説明された実施例のすべてが、同一平面の開口１３８、又は突出した注ぎ口の開口３８、又は別のタイプのディスペンサの受け用取付具をもつことができ、それらのすべてが本発明の範囲及び趣旨内にあることは、当業者が理解できるであろう。
【００３５】
さらに別の実施例であるスリーブ３１０が図１０に示されている。この実施例では、スリーブ３１０は、上壁３３４と、側壁３３０と、底壁３３２とを含む。この場合も、パッケージ１４は、スリーブ３３０の「Ｃ字形」の内部にうまく適合する。側壁３３０は、底壁３３２から上壁３３４まで、パッケージ１４の全部の高さｈにわたって延びている。
【００３６】
上壁３３４は、完全な壁、又はほぼ完全な壁である。すなわち、上壁３３４は、パッケージ１４の全体の長さｌ、又は、ほぼ全体の長さｌにわたって延びる。下壁３３２は、パッケージ１４の全体の長さｌの一部に沿ってだけ延び、したがって、部分的な壁である。下壁３３２は、スリーブ３１０をパッケージ１４の底壁２６に固定するためのロック部分３４８を含むことができる。いくつかのパッケージ製造会社からのパッケージ１４（イタリアのモデナのＴｅｔｒａ  Ｂｒｉｋ  Ｐａｃｋａｇｉｎｇ  Ｓｙｓｔｅｍｓ  Ｓ．ｐ．Ａ．社から入手可能なものを含めて）は、角のあるパネル部分（図示せず）を備えた底面パネル２６を有するように形成されていることを当業者は理解するであろう。ロック３４８を、そのような角のある側面パネル、又はパッケージの他の構造に固定するように構成することができる。もちろん、スリーブ３１０を、どのようなタイプのパッケージのロック部分もないように構成することもできる。
【００３７】
上壁３３４は、ディスペンサ１２を受けるように構成された開口３３８を含む。開口３３８は、上壁３３４内の単純な開口でもよいし、又は、例えば、図１のスリーブ１０の実施例で示したような直立した注ぎ口３４０でもよい。
【００３８】
前述のことから、本発明の新規な概念の真の趣旨及び範囲から逸脱せずに、多くの修正及び変形を行えることがわかるであろう。図示された特定の実施例に関しては、いかなる限定も意図されておらず、又はそれを意味するものでないことに留意されたい。開示内容は、特許請求の範囲内にあるすべての修正を含むことを意図するものである。
【図面の簡単な説明】
【００３９】
【図１】ディスペンサを受けるためのねじ込み式注ぎ口を上壁に備えるスリーブが図示された、本発明の原理を実施するブリック・タイプのパッケージ用のスリーブの斜視図である。
【図２】図１のスリーブの側面図である。
【図３】図１のスリーブの背面図である。
【図４】食品サービス施設で使用できるように、互いに連結した３個のスリーブを示す図である。
【図５】支持脚を示すスリーブの別の実施例の斜視図である。
【図６】パッケージがスリーブ内に配置され、ディスペンサがスリーブに取り付けられた図５のスリーブの斜視図である。
【図７】例示的なディスペンサの断面図である。
【図８】パッケージの対向する側壁にわたって適合するように構成され、パッケージからの注ぎ口を受けるための開口を上壁に含むスリーブのさらに別の実施例の斜視図である。
【図９】ディスペンサを取り付けた図８のスリーブを使用するパッケージの斜視図である。
【図１０】スリーブのさらに別の実施例の側面図である。
【図１１】例示的なブリック・タイプのパッケージの斜視図である。
【図１】
2006502919.tif 000003
【図２】
2006502919.tif 000004
【図３】
2006502919.tif 000005
【図４】
2006502919.tif 000006
【図５】
2006502919.tif 000007
【図６】
2006502919.tif 000008
【図７】
2006502919.tif 000009
【図８】
2006502919.tif 000010
【図９】
2006502919.tif 000011
【図１０】
2006502919.tif 000012
【図１１】
2006502919.tif 000013
【国際調査報告】
2006502919.tif 000014
2006502919.tif 000015
2006502919.tif 000016